(57)【要約】  データ記録装置ＤＲＤ内に挿入可能なデータ記録担体ＯＭ上のデータを読み出す／書き込むための読出／書込ヘッドＯＨを含む、データ記録装置ＤＲＤを動作させる方法であって、少なくとも１つの読出／書込ヘッド動作パラメータを、その読出／書込ヘッド動作パラメータが決められた値に到達するまで、変化させる工程と、読出／書込ヘッド動作パラメータと関連付けられた少なくとも１つのエラーを、特定する工程と、そのエラーをエラー閾値未満に維持するように、読出／書込ヘッド動作パラメータを調整する工程とを含むことを特徴とする方法。
2009521070.tif 000002
【特許請求の範囲】
【請求項１】
データ記録装置内に挿入可能なデータ記録担体上のデータを読み出す／書き込むための読出／書込ヘッドを含む、該データ記録装置を動作させる方法であって、
少なくとも１つの読出／書込ヘッド動作パラメータを、該読出／書込ヘッド動作パラメータが決められた値に到達するまで、変化させる工程と、
前記読出／書込ヘッド動作パラメータと関連付けられた少なくとも１つのエラーを、特定する工程と、
前記エラーをエラー閾値未満に維持するように、前記読出／書込ヘッド動作パラメータを調整する工程とを含むことを特徴とする方法。
【請求項２】
前記変化させる工程が、前記読出／書込ヘッド動作パラメータと関連付けられたジッタ値を減少させるように、該読出／書込ヘッド動作パラメータを変更する工程であることを特徴とする請求項１記載のデータ記録装置を動作させる方法。
【請求項３】
前記特定する工程が、前記記録担体上の読出／書込動作と関連付けられた、実際のジッタ値、実際のエラーレート値、および実際のエラーレートの変化量の値を特定する工程であることを特徴とする請求項１記載のデータ記録装置を動作させる方法。
【請求項４】
前記調整する工程は、実際のジッタ値、実際のエラーレート値、および実際のエラーレートの変化量の値が、それぞれジッタ閾値、エラーレート閾値、およびエラーレートの変化量の閾値未満であるときに、前記読出／書込ヘッド動作パラメータを変更する工程であることを特徴とする請求項１記載のデータ記録装置を動作させる方法。
【請求項５】
前記読出／書込ヘッド動作パラメータの変更が、該読出／書込ヘッド動作パラメータの変化量を計算し、該読出／書込ヘッド動作パラメータに対する該変化量を差し引く工程であることを特徴とする請求項４記載のデータ記録装置を動作させる方法。
【請求項６】
前記読出／書込ヘッド動作パラメータの変化量が、バイナリ探索法によって計算されることを特徴とする請求項５記載のデータ記録装置を動作させる方法。
【請求項７】
前記読出／書込ヘッド動作パラメータと関連付けられた前記エラーが、決められた頻度に従って計算されることを特徴とする請求項１から６いずれか１項記載のデータ記録装置を動作させる方法。
【請求項８】
前記読出／書込ヘッド動作パラメータにより到達される前記決められた値が、ゼロに設定されることを特徴とする請求項１から７いずれか１項記載のデータ記録装置を動作させる方法。
【請求項９】
前記読出／書込ヘッド動作パラメータが、半径方向チルト、焦点オフセット、接線方向チルトおよび／またはコリメーションを含む、読出／書込ヘッド動作パラメータ群から選択されることを特徴とする請求項１から８いずれか１項記載のデータ記録装置を動作させる方法。
【請求項１０】
データ記録装置内に挿入可能なデータ記録担体上のデータを読み出す／書き込むための読出／書込ヘッドと、前記読出／書込ヘッドに接続された電子回路構成とを含む、前記データ記録装置であって、
前記電子回路構成が、
少なくとも１つの読出／書込ヘッド動作パラメータを、該読出／書込ヘッド動作パラメータが決められた値に到達するまで、変化させる手段と、
前記読出／書込ヘッド動作パラメータと関連付けられた少なくとも１つのエラーを、特定する手段と、
前記エラーをエラー閾値未満に維持するように、前記読出／書込ヘッド動作パラメータを調整する手段とを含むことを特徴とするデータ記録装置。
【請求項１１】
前記電子回路構成が、駆動モジュールに接続された処理モジュールを含み、
前記駆動モジュールが、前記読出／書込ヘッド動作パラメータを規定する少なくとも１つの制御信号を発生し、該制御信号を前記読出／書込ヘッドに供給するものであることを特徴とする請求項１０記載のデータ記録装置。
【請求項１２】
前記データ記録担体が、螺旋状のデータトラックを含む光ディスクであり、
前記読出／書込ヘッドが、前記光ディスクに向けてレーザービームを発するレーザー源を含んでいることを特徴とする請求項１０または１１記載のデータ記録装置。
【請求項１３】
データ記録装置内に挿入可能なデータ記録担体上のデータを読み出す／書き込むための読出／書込ヘッドを含む、該データ記録装置のためのコンピュータプログラムであって、
当該コンピュータプログラムは、前記データ記録装置内にロードされた際に、該データ記録装置に、
− 少なくとも１つの読出／書込ヘッド動作パラメータを、該読出／書込ヘッド動作パラメータが決められた値に到達するまで、変化させる工程と、
− 前記読出／書込ヘッド動作パラメータと関連付けられた少なくとも１つのエラーを、特定する工程と、
− 前記エラーをエラー閾値未満に維持するように、前記読出／書込ヘッド動作パラメータを調整する工程と
を実行させるような命令群を含むことを特徴とするコンピュータプログラム。
【発明の詳細な説明】
【技術分野】
【０００１】
本発明は、データ記録装置を動作させる方法、およびかかる方法を実施するデータ記録装置に関するものである。
【０００２】
本発明の１つの具体的なアプリケーションは、光ディスク上のデータの読出しおよび書込みの両方にレーザーを用いる、光データ記録装置に関するアプリケーションである。
【背景技術】
【０００３】
特許文献ＷＯ２００５００８６４１号には、書込パワーを有する放射ビームを介して、記録担体上に情報を記録する方法および装置が記載されている。この装置は、実際の反射を検出する検出ユニットと、情報の記録中において、最適書込パワーに応じた最小値に少なくとも等しくなるように、書込パワーを制御し、参照の反射に対して実際の反射が減った際には、書込パワーを増大させるため、実際の反射に依存して書込パワーを制御する放射制御ユニットとを有している。この装置は制御ユニットを有し、この制御ユニットは、情報を記録する前に、最適書込パワーを決定するパワー制御工程を実行し、情報の記録中においては、トラックの隣接部分で検出された平均反射に応じて、参照の反射を設定する。
【０００４】
従来技術に係る光ドライブシステムは、最大のシステムマージン（すなわち読出／書込エラーを伴わない、オフセットのような妨害対処）、最大のデータ転送レート、または短いアクセス時間を獲得するように、キャリブレーションされる。一般に、最大のシステムマージンをもって光ドライブシステムを動作させることは、光ドライブシステムのパワー消費量の増大をもたらし、したがって光ドライブシステム内へのパワー消散量の増大をもたらす。
【発明の開示】
【発明が解決しようとする課題】
【０００５】
本発明の１つの目的は、上記の従来技術の欠点の少なくとも１つを克服するような、とりわけデータ記録装置内におけるパワー消散量を最小限に抑えることを可能とするような、データ記録装置を動作させる方法を提供することである。
【課題を解決するための手段】
【０００６】
本発明の１つの側面によれば、データ記録装置を動作させる方法は、
少なくとも１つの読出／書込ヘッド動作パラメータを、その読出／書込ヘッド動作パラメータが決められた値に到達するまで、変化させる工程と、
読出／書込ヘッド動作パラメータと関連付けられた少なくとも１つのエラーを、特定する工程と、
上記のエラーをエラー閾値未満に維持するように、読出／書込ヘッド動作パラメータを調整する工程とを含むものとされる。
【０００７】
上記の変化させる工程は、上記のパラメータと関連付けられたジッタ値を減少させるように、そのパラメータを変更する工程であってもよい。
【０００８】
上記のエラーを特定する工程は、記録担体上の読出／書込動作と関連付けられた、実際のジッタ値、実際のエラーレート値、および実際のエラーレートの変化量の値を特定する工程であってもよい。
【０００９】
上記の調整する工程は、実際のジッタ値、実際のエラーレート値、および実際のエラーレートの変化量の値が、それぞれジッタ閾値、エラーレート閾値、およびエラーレートの変化量の閾値未満であるときに、読出／書込ヘッド動作パラメータを変更する工程であってもよい。
【００１０】
上記の読出／書込ヘッド動作パラメータの変更は、その読出／書込ヘッド動作パラメータの変化量を計算し、読出／書込ヘッド動作パラメータに対するその変化量を差し引く工程であってもよい。
【００１１】
上記の読出／書込ヘッド動作パラメータの変化量は、バイナリ探索法によって計算されてもよい。
【００１２】
有利な形態では、読出／書込ヘッド動作パラメータにより到達される上記の決められた値は、ゼロに設定される。
【００１３】
オプションとして、読出／書込ヘッド動作パラメータと関連付けられた上記のエラーは、決められた頻度に従って計算されてもよい。
【００１４】
読出／書込ヘッド動作パラメータは、半径方向チルト、および／または焦点オフセット、および／または接線方向チルト、および／またはコリメーションであってもよい。
【００１５】
別の側面によれば、本発明は、データ記録装置のためのコンピュータプログラムであって、データ記録装置内にロードされた際に、そのデータ記録装置に上記の本発明の方法を実行させるような命令群を含むコンピュータプログラムにも関するものである。
【００１６】
さらに別の側面によれば、本発明は、データ記録装置内に挿入可能なデータ記録担体上のデータを読み出す／書き込むための読出／書込ヘッドと、その読出／書込ヘッドに接続された電子回路構成とを含む、データ記録装置にも関するものである。上記の電子回路構成は、上記の本発明の方法の各工程に従って、読出／書込ヘッドを動作させる。
【００１７】
有利な形態では、上記の電子回路構成は、駆動モジュールに接続された処理モジュールを含んでもよく、その駆動モジュールは、読出／書込ヘッド動作パラメータを規定する制御信号を発生し、その制御信号を読出／書込ヘッドに供給するものであってもよい。
【００１８】
データ記録担体は、螺旋状のデータトラックを含む光ディスクであってもよく、読出／書込ヘッドは、その光ディスクに向けてレーザービームを発するレーザー源を含むものであってもよい。
【００１９】
本発明に係る適応型の方法は、記録装置の最適なパワー消散量キャリブレーションを可能とし、特に、パワー消散量の低減を可能とする。これは、読出および書込動作中における、パワー消散量／消費量を最小限に抑える結果をもたらす。
【発明を実施するための最良の形態】
【００２０】
本発明の上記およびその他の側面は、以下で説明する実施形態を参照することにより明らかとなる。以下、例を通じて本発明を説明するが、本発明は、添付の図面に限定されるものではない。図中において、類似の参照符号は、類似の要素を示している。
【００２１】
図１は、データ記録装置ＤＲＤの一部を概略的に示したブロック図である。
【００２２】
データ記録装置ＤＲＤは、データ記録担体ＯＭ上のデータの読出しおよび書込みの両方に関する動作を実行する。データ記録装置は、読出／書込ヘッドＯＨ、ターンテーブルモータＴＭ（スピンドルモータとも呼ばれる）、スレッドモータＳＭ、および電子回路構成ＥＡを含んでいる。
【００２３】
データ記録担体ＯＭは、記録装置内に挿入された状態で図示されている。データ記録担体ＯＭは、光ディスクであってもよい。光ディスクの表面は、ディスクの内側から外側へと旋回しながら進む、単一の螺旋を含んでいてもよい。トラック上に記録された二値情報は、光学的に検出可能な部分、具体的にはマークおよびスペースによって表される。マークおよびスペースは、それらの異なる光学特性、たとえばレーザービームの反射率の変動によって、検出可能とされている。
【００２４】
読出／書込ヘッドＯＨは、放射ビーム（たとえばレーザービーム）を発生させる放射源（たとえばレーザーダイオード）を含んでいる。レーザービームのパワーを制御することにより、データ記録担体ＯＭ上の情報の読出しまたは書込みを行うことができる。読出／書込ヘッドＯＨはまた、データ記録担体ＯＭのトラック上にレーザービームを案内および合焦させるための、様々な光学素子を含んでいる。読出／書込ヘッドＯＨはさらに、データ記録担体のトラック上の光学的に検出可能な部分により反射された、レーザービームを検出および測定するための、検出器（たとえば四分割ダイオード）も含んでいる。
【００２５】
ターンテーブルモータＴＭは、回転数に比例した角速度に従って、データ記録担体ＯＭを回転させる。この回転数は、データ記録装置ＤＲＤと関連付けられた読出／書込モードおよび速度を決定する。
【００２６】
スレッドモータＳＭは、半径Ｒ、具体的にはトラックに対する読出／書込ヘッドＯＨの位置を制御する。位置Ｒは、データ記録担体ＯＭの中心軸ＡＸと、データ記録担体のトラックに向けて発せられたレーザービームの集光スポットＦＳとの間の、距離を指定する。
【００２７】
データ記録装置ＤＲＤはさらに、データ記録担体の挿入または取出しを行うための、ローディングユニット（図示せず）を含み得る。
【００２８】
電子回路構成ＥＡは、処理モジュールＰＲＯと、駆動モジュールＤＲＶとを含んでいる。
【００２９】
処理モジュールＰＲＯは、バスを介して相互接続された、データ符号化モジュール、制御モジュール、およびレーザーパワー制御モジュールを含み得る（これらの要素は、図を分りやすくするため、図中では省かれている）。データ符号化モジュールの機能は、予め規定された記録フォーマットに従って、データの符号化および復号を行うことである。データ符号化モジュールは、光記録担体ＯＭ上にマークを書き込むのに使用される信号と、タイミング信号とを供給する。処理モジュールＰＲＯは、民生電子機器（オーディオ機器、ビデオ機器、コンピュータ、テレビ等）から、コマンドを受信してもよい。レーザーパワー制御モジュールは、レーザー源の読出／書込パワーを設定するため、読出／書込ヘッドＯＨにレーザーパワー制御信号を供給する。一般的に、レーザーパワー制御モジュールは、レーザーパワーを制御するため、３つの入力信号に依存して動作する。これらの入力信号は、デルタ信号、閾値信号、およびアルファ信号として知られている。制御モジュールＰＲＯはまた、インターフェースモジュール（図示せず）に接続されていてもよい。インターフェースモジュールは、データ記録装置ＤＲＤが、一般的には民生電子機器に含まれる他の電子回路と、接続することを可能とする。処理モジュールの動作は、クロック周波数ｃｌｋと、コア電流ＩＣとを必要とする。
【００３０】
駆動モジュールＤＲＶは、処理モジュールＰＲＯに接続されている。駆動モジュールＤＲＶは、ターンテーブルモータＴＭならびにスレッドモータＳＭ、およびデータ記録装置ＤＲＤの読出／書込ヘッドＯＨの要素を制御する。より厳密にいうと、駆動モジュールＤＲＶは、光ディスクＯＭの回転数を制御するため、ターンテーブルモータＴＭに、第１のモータ信号ＳＴＭを供給する。また、駆動モジュールＤＲＶは、読出／書込ヘッドＯＨの位置を制御し、それにより光ディスクＯＭのトラックを走査するため、スレッドモータＳＭに、第２のモータ信号ＳＳＭを供給する。駆動モジュールＤＲＶは、読出／書込ヘッドＯＨのチルトパラメータ、集光パラメータおよびコリメーションパラメータを制御するため、読出／書込ヘッドＯＨに、複数の読出／書込ヘッド信号を供給する。たとえば、読出／書込ヘッド信号ＳＯＨは、半径方向チルト信号ＳＲＴ、焦点オフセット信号ＳＦＯ、接線方向チルト信号ＳＴＴ、およびコリメーション信号ＳＣＯを含み得る。
【００３１】
図２は、読出／書込ヘッドＯＨの半径方向チルトＲＴの関数として、ジッタを示した曲線を示している。この曲線は、逆放物線を表している。この曲線は、２つの特記すべき点、具体的には、最適半径方向チルトＲＴＯおよびゼロ半径方向チルトＲＴＺを有している。最適半径方向チルトＲＴＯは、記録装置のマージンが最高であるモードとなるよう動作している、光ヘッドに対応する。ゼロ半径方向チルトＲＴＺは、パワー消費量したがってパワー消散量が最小となるような別のモードとなるように動作している、光ヘッドに対応する。図２に示した例では、半径方向チルトＲＴは、最適半径方向チルトＲＴＯから、ゼロ半径方向チルトＲＴＺへと変化させられる。結果として、一方では、ジッタの増大のために記録装置の性能が低下させられるが、他方では、パワー消費量／消散量が低減させられる。一例として、半径方向チルトＲＴが６０００から０まで変化させられると、ジッタは約１％増大し、これは、記録装置性能の許容可能な低下、および最小のパワー消費量／消散量に対応する。図２において、半径方向チルトの単位は１０−３ラジアンであり、具体的には５０００単位につき２×１０−３ラジアンとなるようにスケーリングされている。ジッタもまた、ファクター１０によりスケーリングされている。
【００３２】
図３は、読出／書込ヘッドＯＨの焦点オフセットＦＯの関数として、ジッタを示した曲線を示している。この曲線は、逆放物線を表している。この曲線は、２つの特記すべき点、具体的には、最適焦点オフセットＦＯＯおよびゼロ焦点オフセットＦＯＺを有している。最適焦点オフセットＦＯＯは、記録装置のマージンが最高であるモードとなるよう動作している、光ヘッドに対応する。ゼロ焦点オフセットＦＯＺは、パワー消費量したがってパワー消散量が最小となるような別のモードとなるよう動作している、光ヘッドに対応する。図３に示した例では、焦点オフセットＦＯは、最適焦点オフセットＦＯＯから、ゼロ焦点オフセットＦＯＺへと変化させられる。結果として、一方では、ジッタの増大のために記録装置の性能が低下させられるが、他方では、パワー消費量／消散量が低減させられる。一例として、焦点オフセットＦＯが１６００から０まで変化させられると、ジッタは約１％増大し、これは、記録装置性能の許容可能な低下、および最小のパワー消費量／消散量に対応する。図３において、焦点オフセットＦＯの単位は１０−９ｍであり、具体的には５００単位につき１００×１０−９ｍとなるようにスケーリングされている。ジッタもまた、ファクター１０によりスケーリングされている。
【００３３】
接線方向のチルトＴＴおよび／またはコリメーションＣＯ等の他のパラメータも、類似の挙動を示すため、ここではさらなる説明は行わない。
【００３４】
以下、本発明による適応型の方法を説明する。この方法は、記録装置のマージンおよびそれに付随する性能と、記録装置のパワー消費量／消散量との間の、妥協点を得ることを可能とする。この本発明による適応型の方法の目指すところは、記録装置の最大マージンおよびそれに付随する性能と、記録装置の最小パワー消費量／消散量との間の、最良の妥協点を決定することである。
【００３５】
図４は、本発明に係る方法の第１の実施形態ＯＰＤＣの、種々のステップを示したブロック図である。
【００３６】
この方法が開始されると（ＢＧＮ）、読出／書込ヘッド動作パラメータＰＭの種々の値と関連付けられた種々のジッタ値が、第１のステップ１に従って測定される（ＭＥＳσ＝ｆ（ＰＭ））。ジッタは、読出／書込ヘッド動作パラメータＰＭの関数として特定される。読出／書込ヘッド動作パラメータＰＭは、半径方向チルトＲＴ、または焦点オフセットＦＯ、または接線方向チルトＴＴ、またはコリメーションであってもよい。
【００３７】
第２のステップ２では、読出／書込ヘッド動作パラメータＰＭの関数としてのジッタの上記測定に基づいて、ゼロ動作パラメータＰＭＺおよび最適動作パラメータＰＭＯが特定される（ＤＥＴ  ＰＭＺおよびＤＥＴ  ＰＭＯ）。ゼロ動作パラメータＰＭＺは、パワー消費量／消散量が最小となるようなモードとなるよう動作している、光ヘッドに対応する。これは、たとえば、ゼロに設定された読出／書込ヘッド動作パラメータに対応してもよい。最適動作パラメータＰＭＯは、記録装置のマージンが最高であるモードとなるよう動作している、光ヘッドに対応する。
【００３８】
第３のステップ３では、ゼロ動作パラメータＰＭＺと最適動作パラメータＰＭＯとの間の、読出／書込ヘッド動作パラメータ差分値ΔＰＭが計算される（ＣＡＬＣ ΔＰＭ＝ＰＭＺ−ＰＭＯ）。
【００３９】
第４のステップ４では、読出／書込ヘッド動作パラメータの実際の値ＰＭＡが計算される（ＣＡＬＣ ＰＭＡ＝ＰＭＯ−ΔＰＭ）。この読出／書込ヘッド動作パラメータの実際の値ＰＭＡは、最適動作パラメータＰＭＯと動作パラメータ差分値ΔＰＭとの、差分に対応する。これは、この段階では、読出／書込ヘッド動作パラメータの実際の値ＰＭＡが、ゼロ動作パラメータＰＭＺに設定されることを意味する。動作パラメータＰＭＡをゼロに設定することは、読出／書込ヘッド動作パラメータがそのような決められた値に到達するまで、読出／書込ヘッド動作パラメータを変化させることを意味してもよい。
【００４０】
第５のステップ５では、読出／書込ヘッド動作パラメータの実際の値と関連付けられた、エラーＰＭＥが特定される（ＤＥＴ ＰＭＥ）。
【００４１】
エラーＰＭＥは、データ記録担体から読み出されたまたはデータ記録担体に書き込まれた、バイトエラーに対応するものであってもよい。バイトエラーは、１バイト中の１つ以上のビットが、当初の記録された値と比較して誤った値を有するときに生じる。たとえば、デジタルバーサタイルディスクＤＶＤの規格で述べられているように、誤ったバイトを少なくとも１バイト有するＥＣＣデータブロック列は、ＰＩエラーを構成する。最初の記録後の再生中において、エラー訂正システムによって検出されるエラーは、任意の８個の連続するＥＣＣデータブロック内において、訂正前のＰＩエラーの総数が２８０を超えないという条件を満たす必要がある。
【００４２】
第６のステップ６では、エラーＰＭＥとエラー閾値ＰＭＥＴＨとの間の比較が行われる（ＩＦ  ＰＭＥ＜ＰＭＥＴＨ）。エラーＰＭＥがエラー閾値ＰＭＥＴＨ以上である場合には（枝路Ｎ）、第７のステップ７に従って、読出／書込ヘッド動作パラメータが調整される（ＲＥＧ ΔＰＭ）。エラーＰＭＥがエラー閾値ＰＭＥＴＨ未満である場合には（枝路Ｙ）、ステップ８に従って、読出／書込ヘッド動作パラメータが、動作パラメータの実際の値ＰＭＡに設定される（ＳＥＴ ＰＭＡ）。
【００４３】
第７のステップ７では、読出／書込ヘッド動作パラメータ差分値ΔＰＭの新たな値が、計算され、読出／書込ヘッド動作パラメータの実際の値ＰＭＡの新たな値を計算するために第４のステップ４に供給される。その後、第４のステップ４、第５のステップ５、第６のステップ６および第７のステップ７が、エラーＰＭＥがエラー閾値ＰＭＥＴＨ以上となるまで繰り返される。
【００４４】
第８のステップ８の後、この方法は終了させられる（ＥＮＤ）。
【００４５】
図５は、本発明に係る方法の第２の実施形態ＯＰＤＣ'の、種々のステップを示したブロック図である。
【００４６】
本発明の第２の実施形態に係る方法は、前述の第５のステップ５、第６のステップ６および第７のステップ７に代えて、新たな第５のステップ１５、第６のステップ１６および第７のステップ１７がそれぞれ導入される点で、上記の第１の実施形態と異なる。新たな第５のステップ１５によれば、データ記録担体上の読出／書込動作に関連する、複数のエラーが特定される。実際のジッタ値（ＤＥＴ σＡ）、実際のエラーレート値（ＤＥＴ ＥＲＡ）、およびエラーレートの変化量の値（ＤＥＴ ΔＥＲ）が特定されてもよい。
【００４７】
新たな第６のステップ１６によれば、複数の比較が行われる。第１の比較は、実際のジッタ値σＡと、ジッタ閾値σＴＨとの間で行われる（ＩＦ σＡ＜σＴＨ）。第２の比較は、実際のエラーレート値ＥＲＡと、エラー閾値ＥＲＴＨとの間で行われる（ＩＦ ＥＲＡ＜ＥＲＴＨ）。
【００４８】
一般的に、パラメータの関数としてエラーレートを表す曲線は、最適パラメータ範囲に対応する低エラーレート部分と、この範囲外の高エラーレート部分とを含む。エラーレートは、最適パラメータ範囲の両端においては、非常に急な勾配を有する。そのため、第３の比較が、エラーレートの変化量ΔＥＲと、エラーレートの変化量の閾値ΔＥＲＴＨとの間で行われてもよい（ＩＦ ΔＥＲ＜ΔＥＲＴＨ）。
【００４９】
これらの閾値は、データ記録担体からのデータの読出し／データ記録担体へのデータの書込みを、より少ないマージンで満足に行うことができるように決定される。
【００５０】
実際のジッタ値、実際のエラーレート値およびエラーレートの変化量が、それぞれの閾値以上である場合には（枝路Ｎ）、新たな第７のステップ１７により、読出／書込ヘッド動作パラメータが調整される（ＢＩＳＥＣ ΔＰＭ）。実際のジッタ値、実際のエラーレート値およびエラーレートの変化量が、それぞれの閾値未満である場合には（枝路Ｙ）、第８のステップ８により、読出／書込ヘッド動作パラメータが、動作パラメータの実際の値ＰＭＡに設定される（ＳＥＴ ＰＭＡ）。
【００５１】
読出／書込ヘッド動作パラメータの変更に含まれる調整ステップは、実際のジッタ値、実際のエラーレート値、および実際のエラーレートの変化量の値が、それぞれジッタ閾値、エラーレート閾値、およびエラーレートの変化量の閾値未満である場合に実行される。
【００５２】
新たな第７のステップ１７によれば、読出／書込ヘッド動作パラメータの変化量の新たな値が計算される。この計算は、たとえば、パワー消費量／消散量を最適化するバイナリ探索法（たとえば二分探索）に従って行われる。その後、第４のステップ４から始まる各ステップが繰り返される。
【００５３】
オプションとして、読出／書込ヘッド動作パラメータと関連付けられた複数のエラーが、時々に計算されてもよい。たとえば、決められた頻度に従って、複数のエラーが周期的に計算されてもよい。
【００５４】
本発明に係る適応型の方法は、最小限のパワー消費量／消散量が実現されるように、種々の読出／書込ヘッド動作パラメータを調整する（種々のパラメータをゼロ値に調整する）ことを可能とする一方、満足な性能が維持される（ジッタおよびエラーの値が、許容可能な限度未満に維持される）ように、データ記録装置によるデータ記録担体のデータの読出しおよび書込みを行う。
【００５５】
本発明に係る適応型の方法ＯＰＤＣは、キャリブレーションが実行されるデータ記録装置アルゴリズム内に包含させられてもよい。例として、そのようなキャリブレーションは、（光記録装置内への光ディスクの挿入後における）データ記録担体の認識段階中において実行されてもよいし、最適パワーキャリブレーション（レーザー源のパワー決定）中において実行されてもよいし、データ記録担体の読出／書込動作中の動的キャリブレーション中において実行されてもよい。
【００５６】
図６は、本発明の方法の第１のアプリケーション例を示したブロック図である。
【００５７】
本発明に係る適応型の方法は、データ記録担体認識アルゴリズムＤＲＡの実行中において行われてもよい。
【００５８】
データ担体認識アルゴリズムが開始された（ＢＧＮ）後の第１のステップ２０は、ジッタに基づき、読出／書込ヘッド動作パラメータのキャリブレーションを行う処理である。たとえば、半径方向チルトＲＴがキャリブレーションされ（ＲＴ ＣＡＬ）、焦点オフセットがキャリブレーションされる（ＦＯ ＣＡＬ）。第２のステップ２１では、本発明の第１または第２の実施形態に係る方法が実行される（ＯＰＤＣ）。第２のステップ２１の後、このデータ記録担体認識アルゴリズムＤＲＡは終了させられる（ＥＮＤ）。
【００５９】
図７は、本発明の方法の第２のアプリケーション例を示したブロック図である。
【００６０】
本発明に係る適応型の方法は、最適パワーキャリブレーションアルゴリズムＯＰＣＡの実行中において行われてもよい。
【００６１】
最適パワーキャリブレーションアルゴリズムが開始された（ＢＧＮ）後の第１のステップ３０は、既知の最適パワーキャリブレーションを実行する処理である。そのようなＯＰＣＡは、当該技術分野ではよく知られており、典型的には、指定領域（一般的にパワーキャリブレーション領域として知られている）内において、レーザー源の実際の書込パワーレベルを段階的に調整しながら、テストトラックの書込みを実行する工程を含む。最適パワーキャリブレーションは、データ記録装置のいくつかの動作パラメータが、最適値に設定されることを要求する。ループにより、本発明に係る適応型の方法に従って、読出／書込ヘッド動作パラメータを設定することが可能とされる。このループは、第２のステップ３１、第３のステップ３２および第４のステップ３３を含む。
【００６２】
第２のステップ３１では、複数のトラックの書込みが行われる（ＷＴ）。
【００６３】
第３のステップ３２では、ジッタに基づく読出／書込ヘッド動作パラメータのキャリブレーションが行われる。たとえば、半径方向チルトＲＴがキャリブレーションされ（ＲＴ ＣＡＬ）、焦点オフセットがキャリブレーションされる（ＦＯ ＣＡＬ）。
【００６４】
第４のステップ３３では、本発明の第１または第２の実施形態に係る方法が実行される（ＯＰＤＣ）。読出／書込ヘッド動作パラメータは、それぞれの実際の値に設定され、最適なパラメータが設定されるまで、最適パワーキャリブレーションが繰り返される。
【００６５】
その後、最適パワーキャリブレーションアルゴリズムＯＰＣＡが終了させられる（ＥＮＤ）。
【００６６】
図６および７に記載された例はいずれも、半径方向チルトＲＴおよび焦点オフセットＦＯを包含するキャリブレーション動作のみを記述したものであったが、他のパラメータもさらにキャリブレーションされてもよいことは明らかである。そのような他のパラメータとしては、たとえば、接線方向チルトＴＴならびに／もしくはコリメーションＣＯ、および／または読出／書込ヘッドＯＨの動作に影響を与え得る他のパラメータが挙げられる。
【００６７】
上記では、本発明に係る方法を、レーザーを用いた光データ記録装置に適用する形態に絞って説明したが、当業者においては、磁気ハードディスクドライブへの適用にも、本発明を用いることができることは自明であろう。
【００６８】
図面および上記における図面の説明は、本発明を限定するものではなく、本発明を説明するためのものである。
【００６９】
請求項中のいずれの参照符号も、その請求項を限定するものと捉えられるべきではない。「含む」または「備える」との語は、請求項中に列挙されたもの以外の要素の存在を、排除するものではない。ある要素の前に置かれた「１つの」との語は、かかる要素が複数存在することを排除するものではない。
【図面の簡単な説明】
【００７０】
【図１】本発明に従う方法を実行するための電子回路構成を含む、データ記録装置の一部を示した概略ブロック図
【図２】読出／書込ヘッドの半径方向チルトの関数として、ジッタを示した曲線
【図３】読出／書込ヘッドの焦点オフセットの関数として、ジッタを示した曲線
【図４】本発明に係る方法の第１の実施形態の種々のステップを示したブロック図
【図５】本発明に係る方法の第２の実施形態の種々のステップを示したブロック図
【図６】本発明の方法の第１のアプリケーション例を示したブロック図
【図７】本発明の方法の第２のアプリケーション例を示したブロック図
【図１】
2009521070.tif 000003
【図２】
2009521070.tif 000004
【図３】
2009521070.tif 000005
【図４】
2009521070.tif 000006
【図５】
2009521070.tif 000007
【図６】
2009521070.tif 000008
【図７】
2009521070.tif 000009
【国際調査報告】
2009521070.tif 000010
2009521070.tif 000011
2009521070.tif 000012